(57)【要約】【課題】床ブラシの操作時の手首の負荷を軽減した電気掃除機を提供する。【解決手段】電動送風機の吸込側に連通し、中心軸の周囲に回動可能な床ブラシを設ける。把持部52を床ブラシの回動軸の軸方向に交差する方向に設ける。床ブラシの回動軸の軸方向に把持部52と並んで、把持部52に対して床ブラシと反対側の両側に支持部53，53を設ける。把持部52を把持した腕の手首よりも肘側の位置を支持部53，53によって両側から支持することが可能となり、手首の負荷を軽減できる。【選択図】図１
2010057784.tif 000002
【特許請求の範囲】
【請求項１】
電動送風機を収容した掃除機本体と、
前記電動送風機の吸込側に連通し、回動可能な吸込口体と、
この吸込口体の回動軸の軸方向に交差する方向に設けられ、前記吸込口体を回動操作する把持部と、
前記吸込口体の回動軸の軸方向に前記把持部と並んで配置され、前記把持部に対して前記吸込口体と反対側の両側に位置する支持部と
を具備したことを特徴とした電気掃除機。
【請求項２】
電動送風機の吸込側に連通して掃除機本体に接続されるホース体と、
このホース体の先端側に接続され、先端側に吸込口体が回動可能に接続される延長管と、
把持部と支持部とを下部で連結する連結部とを具備し、
前記把持部および前記支持部は、前記ホース体と前記延長管との接続部に位置し、この延長管を介して前記吸込口体を回動操作可能である
ことを特徴とした請求項１記載の電気掃除機。
【請求項３】
把持部と支持部とを上部で連結する連結部を具備し、
吸込口体は、掃除機本体に接続され、
前記把持部および前記支持部は、前記掃除機本体を介して前記吸込口体を回動操作可能である
ことを特徴とした請求項１記載の電気掃除機。
【請求項４】
支持部の間隔を調整する調整機構を具備した
ことを特徴とした請求項１ないし３いずれか一記載の電気掃除機。
【発明の詳細な説明】
【技術分野】
【０００１】
本発明は、電動送風機の吸込側に連通する吸込口体を備えた電気掃除機に関する。
【背景技術】
【０００２】
従来、この種の電気掃除機は、電動送風機を収容した掃除機本体を備えている。この掃除機本体の前部には、電動送風機の吸込側に連通する集塵室と、この集塵室に連通する本体吸込口とが形成されている。この本体吸込口には、ホース体、延長管、および、吸込口体としての床ブラシなどからなる管部が着脱可能に連通接続される。ホース体の先端部で延長管との接続部には、作業者が管部を把持操作するための円筒状の手元操作部を備えた構成(例えば、特許文献１参照。)、あるいは手元操作部から突出した把持部を備えた構成(例えば、特許文献２参照。)が知られている。
【特許文献１】特開平５−２５３１３７号公報(第２頁、図１)
【特許文献２】特開平７−７９８９８号公報(第２頁、図１−２)
【発明の開示】
【発明が解決しようとする課題】
【０００３】
しかしながら、上述の電気掃除機では、管部の操作時に、手元が滑らないように手元操作部、あるいは把持部を強く把持する必要があるだけでなく、床ブラシなど管部の先端側を持ち上げる際には、手首に負荷が掛かるという問題点を有している。
【０００４】
本発明は、このような点に鑑みなされたもので、吸込口体の操作時の手首の負荷を軽減した電気掃除機を提供することを目的とする。
【課題を解決するための手段】
【０００５】
本発明は、電動送風機の吸込側に連通し、回動可能な吸込口体と、この吸込口体の回動軸の軸方向に交差する方向に設けられ、吸込口体を回動操作する把持部と、吸込口体の回動軸の軸方向に把持部と並んで配置され、把持部に対して吸込口体と反対側の両側に位置する支持部とを具備したものである。
【発明の効果】
【０００６】
本発明によれば、吸込口体を回動操作する把持部を吸込口体の回動軸の軸方向に交差する方向に設けるとともに、吸込口体の回動軸の軸方向に把持部と並んで、把持部に対して吸込口体と反対側の両側に支持部を設けることで、把持部を把持した腕の手首よりも肘側の位置を支持部によって両側から支持することが可能となり、吸込口体の操作時の負荷を、手首と、この手首よりも肘側の位置とに分散し、手首の負荷を軽減できる。
【発明を実施するための最良の形態】
【０００７】
以下、本発明の第１の実施の形態の電気掃除機の構成を図１および図２を参照して説明する。
【０００８】
図２において、11はいわゆるキャニスタ型の電気掃除機を示し、この電気掃除機11は、管部12と、この管部12が着脱可能に接続される掃除機本体13とを有している。
【０００９】
管部12は、掃除機本体13に接続される基端側に対して先端側が前方へ屈曲した接続管部15を基端側に備え先端側に手元操作部16を備えた可撓性を有する筒状のホース体17と、このホース体17の先端側に着脱可能に接続される延長管18と、この延長管18の先端側に着脱可能に接続される吸込口体としての床ブラシ19とを備えている。
【００１０】
また、掃除機本体13は、本体ケース25を備え、この本体ケース25の内部には、図示しない隔壁が設けられ、この隔壁の後側に、電動送風機27を収容する電動送風機室、および、電源コード31を出し入れ可能に巻回した図示しないコードリールを収容するコードリール室がそれぞれ区画されているとともに、隔壁の前側に、電動送風機27の吸込側に連通する本体集塵室35が区画され、この本体集塵室35に、紙パック、あるいは集塵装置としての集塵カップなどの集塵部が着脱可能に配置されている。
【００１１】
本体ケース25は、上側が開口した下ケース41と、この下ケース41の上側後部である電動送風機室およびコードリール室を覆う上ケース42と、この上ケース42あるいは下ケース41に対して上下方向に回動可能に軸支され本体集塵室35を開閉可能とする本体蓋44とを備えている。そして、下ケース41の両側方には、掃除機本体13の走行用の大径の走行輪45(一方のみ図示)が回転自在に軸支されている。
【００１２】
上ケース42は、後部および両側部に、電動送風機室の下流側に連通する複数の排気口46が形成されているとともに、電源コード31を本体ケース25の外部に導出するための図示しないコード導出口が後部に開口形成されている。
【００１３】
本体蓋44は、後端側が回動可能に軸支されている。また、この本体蓋44には、ホース体17の接続管部15が接続される本体吸込口48が設けられている。
【００１４】
電動送風機27は、電源コード31を介して電源から給電されることにより、設定ボタンで設定された所定の動作モードで動作して管部12を介して空気とともに塵埃を吸い込むものである。そして、この電動送風機27は、前側を吸込側、後側を排気側として電動送風機室内に配置され、本体ケース25全体として後側に偏って位置している。また、この電動送風機27は、本体ケース25に収容された制御手段である図示しない制御回路により動作が制御されている。
【００１５】
ホース体17は、エラストマなどにより細長い蛇腹状に形成され、軸方向に伸縮可能となっている。
【００１６】
そして、手元操作部16は、ホース体17と延長管18との接続部となるもので、例えば合成樹脂などにより形成されており、図１および図２に示すように、略円筒状の操作部本体51と、この操作部本体51から上方、すなわちこの操作部本体51の軸方向に対して交差する方向へと突出した把持部52と、この把持部52の両側から接続された補助部である支持部53，53と、これら支持部53，53と把持部52の先端部とを下部で連結する連結部54とを備えている。
【００１７】
操作部本体51は、図１に示すように、ホース体17の先端側が挿入接続される接続筒部56と、この接続筒部56の先端側である電動送風機27(図２)の駆動による吸込風路の上流側に連通する連通筒部57と、この連通筒部57の先端側に連通する接続部58とを一体的に有している。
【００１８】
接続筒部56と連通筒部57とは、略一直線上に配置されており、接続部58は、これら接続筒部56および連通筒部57に対して軸方向が若干屈曲する方向に沿って配置されている。
【００１９】
把持部52は、管部12(図２)の操作時に作業者が把持する部分であり、基端52a側が、連通筒部57と接続部58との連結部近傍の上部から突出し、先端52b側が接続筒部56の基端側に徐々に接近するように屈曲されている。また、この把持部52には、図示しないが、基端52a側寄りの位置に、電動送風機27(図２)の動作モードなどを制御回路に設定するための操作スイッチである設定ボタンが複数、この把持部52に沿って並設されている。
【００２０】
各支持部53は、把持部52に対して、延長管18の軸方向に並んで位置し、把持部52の基端52aの上側の両側部からそれぞれ突出して、互いの先端側が連結部54により互いに連結されてループ状となっている。したがって、これら支持部53間には、把持部52の上方の位置に臨んで、この把持部52を把持する腕を挿脱するための挿脱開口部63が形成されている。
【００２１】
また、各支持部53は、把持部52の基端52aから左右幅方向に拡開状に湾曲して把持部52の先端52b側へと延びる拡開部53aと、この拡開部53aに対して左右幅方向に狭くなるように形成され、把持部52を把持する腕の手首近傍を両側から支持(挟持)する支持腕部53bとを一体に有している。したがって、支持腕部53b，53bと連結部54との間には、把持部52を把持した作業者の腕が嵌合する嵌合空間部65が区画されている。そして、支持腕部53b，53bの内側面には、嵌合空間部65内に位置して、幅調整部67がそれぞれ取り付けられている。
【００２２】
各幅調整部67は、例えば弾性を有する軟質の部材などにより形成され、各支持腕部53bに、左右幅方向に沿って形成された孔部71に螺合された調整手段としてのねじ72の先端側に接続されており、このねじ72を回転させることで各支持腕部53bからそれぞれ嵌合空間部65の左右幅方向の中心側へと進退することにより、支持部53，53の間隔Ｄ、換言すれば嵌合空間部65の幅寸法、すなわち支持部53，53による腕の支持幅を可変調整することが可能となっている。そして、これら幅調整部67、孔部71およびねじ72により、調整機構73が構成されている。
【００２３】
また、連結部54は、把持部52の先端52b側から突出した突出部54aと、各支持部53間に連続する円弧状の連結腕部54bとを一体に備えている。
【００２４】
また、延長管18は、剛性を有する合成樹脂などにより細長い円筒状に形成され、図２に示すように、手元操作部16の操作部本体51の接続部58の先端側に、この接続部58の軸方向に沿って直線状となるように連結される。
【００２５】
そして、床ブラシ19は、延長管18の先端側に連結される連結管75と、この連結管75の先端側に連通する吸込口体本体である横長のケース体76とを有している。
【００２６】
連結管75は、ケース体76の後部の左右幅方向の略中心位置に接続されており、延長管18に接続された状態で、この延長管18の軸方向に沿って直線状となる。すなわち、この連結管75と延長管18とは、互いに中心軸が一致している。また、この連結管75の先端側は、ケース体76に対して中心軸の周囲、すなわち周方向に回動可能に接続されている。したがって、連結管75の中心軸は、床ブラシ19の回動軸となっている。
【００２７】
このため、把持部52は、床ブラシ19の回動軸の軸方向に交差する方向に設けられている。また、支持部53，53は、床ブラシ19の回動軸の軸方向に把持部52と並んで配置され、把持部52に対して床ブラシ19と反対側の両側に位置している。
【００２８】
なお、床ブラシ19の回動軸の軸方向に把持部52と支持部53，53とが並んで配置されているとは、把持部52と支持部53，53との位置を結ぶ仮想線が、床ブラシ19の回動軸の軸方向に沿う(軸方向に平行な)成分を有している、換言すれば、把持部52と支持部53，53との位置を結ぶ仮想線が、床ブラシ19の回動軸に対して直交しないことをいう。したがって、把持部52と支持部53，53との位置関係は、必ずしも回動軸の軸方向と平行になるものではない。
【００２９】
また、ケース体76は、下側に図示しない吸込口を有し、電動送風機27の駆動により発生する負圧によって、この吸込口から床面上の塵埃を空気とともに吸い込むものである。
【００３０】
次に、上記第１の実施の形態の動作を説明する。
【００３１】
まず、本体ケース25の本体蓋44を開けて本体集塵室35に集塵部を装着し、本体蓋44を閉じる。
【００３２】
この状態で、本体吸込口48にホース体17、延長管18および床ブラシ19を順次連通接続するとともに、本体ケース25から電源コード31を引き出して壁面などのコンセントに接続し、作業者が把持部52を把持する。
【００３３】
このとき、作業者は、挿脱開口部63から腕を挿入して把持部52の先端52b寄りを把持することにより、この把持した腕の手首の肘側の位置が、支持部53，53の支持腕部53b，53b間で幅調整部67，67を介して両側から固定され、連結部54の連結腕部54bにより下側から固定される。すなわち、作業者の腕は、両側および下側から３点支持される。
【００３４】
なお、作業者の腕の太さに応じてねじ72を適宜回転させることで、幅調整部67，67の位置を左右幅方向に調整する。
【００３５】
この後、作業者が所定の設定ボタンを操作すると、制御回路が電動送風機27を、設定された動作モードで電動送風機27を駆動させる。
【００３６】
そして、作業者は、把持部52により床ブラシ19を床面上で適宜回動操作、例えば床ブラシ19の位置を持ち上げて移動させたりしながら、所望の位置で前後方向に走行させ、電動送風機27の負圧の作用により、床ブラシ19の先端側から床面上の塵埃を空気とともに吸い込む。
【００３７】
このとき、床ブラシ19を左右に操作する際には、各支持部53が作業者の腕の両側に当接するため、把持部52を必要以上に強く握らなくても、腕の向きと床ブラシ19の位置とが固定される。また、床ブラシ19を持ち上げる際には、連結部54の突出部54aおよび連結腕部54bが腕の下部に当接することにより、手首を固定する負荷が軽減する。
【００３８】
そして、床ブラシ19の先端側から吸い込まれた空気は吸込風となり、床ブラシ19から延長管18、ホース体17および本体吸込口48を経由して、集塵部へと吸い込まれ、含まれる塵埃が集塵部で捕集される。
【００３９】
この吸込風は、電動送風機27の吸込側に吸い込まれ、この電動送風機27を通過して排気風となり、本体ケース25の排気口46から外気へと排出される。
【００４０】
掃除が終了すると、作業者が所定の設定ボタンを操作して、電動送風機27の停止信号を制御回路に出力することで、制御回路が電動送風機27の駆動を停止させる。
【００４１】
上述したように、上記第１の実施の形態によれば、把持部52を床ブラシ19の回動軸の軸方向に交差する方向に設けるとともに、床ブラシ19の回動軸の軸方向に把持部52と並んで、床ブラシ19と反対側の両側に支持部53，53を設けることで、把持部52を把持した腕の手首よりも肘側の位置を支持部53，53によって両側から支持することが可能となり、床ブラシ19の回動操作時の負荷を、手首と、この手首よりも肘側の位置とに分散し、手首の負荷を軽減できる。
【００４２】
また、ホース体17の先端側である手元操作部16の先端側に延長管18を接続し、この延長管18の先端側に床ブラシ19を接続して、この延長管18を介して床ブラシ19を回動操作可能なキャニスタ型の電気掃除機11においては、作業者が手元操作部16を上方へと持ち上げることで床ブラシ19を持ち上げることが可能になる。このため、連結部54を介して把持部52と支持部53，53とを下部で連結することにより、床ブラシ19を持ち上げるために手元操作部16を上方へと持ち上げた際に、この連結部54によって作業者の腕の手首の肘側の位置が下側から支持されるので、延長管18および床ブラシ19の重量など、床ブラシ19の持ち上げの際の手首の負荷を、手首と、この手首よりも肘側の位置とに分散して軽減できる。
【００４３】
しかも、連結部54によって把持部52と支持部53，53とを下部で連結しているため、把持部52の上方に挿脱開口部63が形成されるので、作業者が把持部52を把持して腕を支持部53，53および連結部54で支持した状態で誤って転倒した場合などでも、作業者が容易に腕を挿脱開口部63から抜くことができる。
【００４４】
さらに、支持部53，53の間隔を調整可能な調整機構73を備えることで、支持部53，53を様々な作業者の腕に適用させることができ、使用感が向上する。
【００４５】
次に、第２の実施の形態を図３を参照して説明する。なお、上記第１の実施の形態と同様の構成および作用については、同一符号を付してその説明を省略する。
【００４６】
この第２の実施の形態は、上記第１の実施の形態の調整機構73に代えて、支持腕部53b，53bと連結部54の連結腕部54bとの間に亘って、軟質部材である緩衝部材78がＵ字状に取り付けられているものである。
【００４７】
この緩衝部材78は、例えばエラストマなどの弾性を有する合成樹脂などの部材によって帯状に形成されて支持腕部53b，53bと連結部54の連結腕部54bとの内側面に貼着されており、嵌合空間部65に嵌合した腕の手首近傍の周囲を弾性的に支持する。
【００４８】
そして、作業者は、挿脱開口部63から腕を挿入して把持部52の先端52b寄りを把持することにより、この把持した腕の手首の肘側の位置が嵌合空間部65に嵌合して、支持部53，53の支持腕部53b，53b間で緩衝部材78を介して両側から固定される。
【００４９】
このように、支持部53，53の支持腕部53b，53bと連結部54の連結腕部54bとに亘って緩衝部材78を配置することにより、作業者の腕の肘側の位置を支持部53，53および連結部54により支持した状態で長時間使用した場合などでも、作業者の腕が痛くなることを低減でき、使用感を向上できる。
【００５０】
次に、第３の実施の形態を図４を参照して説明する。なお、上記各実施の形態と同様の構成および作用については、同一符号を付してその説明を省略する。
【００５１】
図４において、81はいわゆるアップライト型(スティック型)の電気掃除機を示し、この電気掃除機81は、上下方向に長手状の掃除機本体82の下部に、吸込口体としての床ブラシ83が接続されて構成されている。
【００５２】
掃除機本体82は、本体ケース85内に、電動送風機27を収容する電動送風機室、コードリールを収容したコードリール室を備えるとともに、本体ケース85の前部に、電動送風機27の吸込側に連通する集塵部としての集塵カップ86が着脱可能となっている。
【００５３】
また、本体ケース85の上部には、本体開口部91が開口形成され、この本体開口部91には、ホース体92が接続され、このホース体92の先端の手元操作部93には、延長管94が接続され、この延長管94の先端が本体ケース85の上部の接続開口部95に着脱可能に接続されている。そして、本体ケース85内には、図示しないが、集塵カップ86と床ブラシ83側とを連通する第１風路である床ブラシ側風路と、集塵カップ86とホース体92(本体開口部91)側とを連通する第２風路である延長管側風路とが区画されている。
【００５４】
ホース体92は、可撓性および伸縮性を有する部材により蛇腹状に形成されている。
【００５５】
手元操作部93は、ホース体92の先端側が挿入される接続部96と、この接続部96の先端側に連通する略円筒状の操作部本体97と、この操作部本体97から軸方向に交差する方向へと突出した把持部98と、この把持部98からそれぞれ突出した支持部99，99と、これら支持部99，99を把持部98と連結する連結部100とを備えている。
【００５６】
操作部本体97は、略直線状に形成されており、延長管94と同軸上に形成され、延長管94の先端側を接続開口部95に接続した状態で、上下方向に沿うように配置される。
【００５７】
把持部98は、電気掃除機81の操作時に作業者が把持する部分であり、基端98a側が、操作部本体97の前部から前方に突出し、先端98b側が屈曲されている。また、この把持部98には、図示しないが、電動送風機27(図２)の動作モードなどを本体ケース85内に収容された制御手段である制御回路に設定するための操作スイッチである設定ボタンが複数、この把持部98に沿って並設されている。
【００５８】
各支持部99は、把持部98に対して、延長管94の軸方向に並んで位置し、把持部98の先端98bの上側の両側部からそれぞれ突出して、互いの先端側が連結部100により互いに連結されてループ状となっている。したがって、これら支持部99間には、把持部98の上方の位置に臨んで、この把持部98を把持する腕を挿脱するための挿脱開口部104が形成されている。
【００５９】
また、各支持部99は、把持部98の先端98bから左右幅方向に拡開状に湾曲して把持部98の基端98a側へと延びる拡開部99aと、この拡開部99aに対して左右幅方向に狭くなるように形成され、把持部98を把持する腕の手首近傍を両側から支持(挟持)する支持腕部99bとを一体に有している。したがって、支持腕部99b，99bと連結部100との間には、把持部98を把持した作業者の腕が嵌合する嵌合空間部105が区画されている。
【００６０】
連結部100は、把持部98の基端98a側から突出した突出部100aと、各支持部99間に連続する円弧状の連結腕部100bとを一体に備えている。
【００６１】
延長管94は、例えば金属などの剛性を有する部材によりパイプ状に形成されている。そして、この延長管94は、接続開口部95から取り外した状態では先端側が塵埃の吸込口になるとともに、接続開口部95に接続した状態では、先端側が閉塞され、電気掃除機81を操作するための軸部となっている。なお、延長管94を接続開口部95から取り外すと、シャッタなどの図示しない閉塞機構により床ブラシ側風路が閉塞され、延長管94を接続開口部95に接続すると、この閉塞機構による床ブラシ側風路の閉塞が解除されるように構成されている。
【００６２】
床ブラシ83は、本体ケース85内に挿入されて床ブラシ側風路と連通する図示しない連結管と、この連結管の先端側に連通する吸込口体本体である横長のケース体107と、このケース体107の後部両側に配置され電気掃除機81の操作時に床面上を走行するための走行輪108(一方のみ図示)とを有している。
【００６３】
連結管は、ケース体107の後部の左右幅方向の略中心位置に接続され、本体ケース85に接続された状態で、この本体ケース85の長手方向である上下方向に沿っている。また、この連結管75の先端側は、ケース体107に対して中心軸の周囲、すなわち周方向に回動可能に接続されている。したがって、連結管の中心軸は、床ブラシ83の回動軸となっている。
【００６４】
このため、把持部98は、床ブラシ83の回動軸の軸方向に交差する方向に設けられている。また、支持部99，99は、床ブラシ83の回動軸の軸方向に把持部98と並んで配置され、床ブラシ83と反対側の両側に位置している。
【００６５】
なお、床ブラシ83の回動軸の軸方向に把持部98と支持部99，99とが並んで配置されているとは、把持部98と支持部99，99との位置を結ぶ仮想線が、床ブラシ83の回動軸の軸方向に沿う成分を有していることをいう。したがって、把持部98と支持部99，99との位置関係は、必ずしも回動軸の軸方向と平行になるものではない。
【００６６】
また、ケース体107は、下側に図示しない吸込口を有し、電動送風機27の駆動により発生する負圧によって、この吸込口から床面上の塵埃を空気とともに吸い込むものである。
【００６７】
次に、第３の実施の形態の動作を説明する。
【００６８】
まず、本体ケース85に集塵カップ86を装着した状態で、本体ケース25から電源コード31を引き出して壁面などのコンセントに接続し、作業者が把持部98を把持する。
【００６９】
このとき、作業者は、挿脱開口部104から腕を挿入して把持部98の先端98b寄りを把持することにより、この把持した腕の手首の肘側の位置が、支持部99，99の支持腕部99b，99b間で両側から固定され、連結部100の連結腕部100bにより上側から固定される。すなわち、作業者の腕は、両側および上側から３点支持される。
【００７０】
この後、作業者が所定の設定ボタンを操作すると、制御回路が電動送風機27を、設定された動作モードで電動送風機27を駆動させる。
【００７１】
そして、作業者は、把持部98により掃除機本体82を床ブラシ83に対して後方に傾斜させた状態で、この掃除機本体82とともに床ブラシ83を床面上で適宜回動操作しながら、所望の位置で電気掃除機81を前後方向に走行させ、電動送風機27の負圧の作用により、床ブラシ83の先端側から床面上の塵埃を空気とともに吸い込む。
【００７２】
このとき、床ブラシ83を左右に回動操作する際には、各支持部99が作業者の腕の両側に当接するため、把持部98を必要以上に強く握らなくても、腕の向きと床ブラシ83の位置とが固定される。また、掃除機本体82とともに床ブラシ83を持ち上げる際には、連結部100の突出部100aおよび連結腕部100bが腕の上部に当接することにより、手首を固定する負荷が軽減する。
【００７３】
また、例えばカーテンなど、あるいは高い位置などを掃除する場合には、延長管94を接続開口部95から取り外すことで、床ブラシ側風路が閉塞され、延長管94の先端から空気とともに塵埃を吸い込み可能となる。
【００７４】
そして、床ブラシ83の先端側、あるいは延長管94の先端側から吸い込まれた空気は吸込風となり、各風路を経由して集塵カップ86へと吸い込まれ、含まれる塵埃が集塵カップ86で捕集される。
【００７５】
この吸込風は、電動送風機27の吸込側に吸い込まれ、この電動送風機27を通過して排気風となり、本体ケース85の図示しない排気口から外気へと排出される。
【００７６】
掃除が終了すると、作業者が所定の設定ボタンを操作して、電動送風機27の停止信号を制御回路に出力することで、制御回路が電動送風機27の駆動を停止させる。
【００７７】
このように、把持部98を床ブラシ83の回動軸の軸方向に交差する方向に設けるとともに、床ブラシ83の回動軸の軸方向に把持部98と並んで、床ブラシ83と反対側の両側に支持部99，99を設けることで、把持部98を把持した腕の手首よりも肘側の位置を支持部99，99によって両側から支持することが可能となり、床ブラシ83の回動操作時の負荷を、手首と、この手首よりも肘側の位置とに分散し、手首の負荷を軽減できる。
【００７８】
また、掃除機本体82の下部に床ブラシ83を接続し、掃除機本体82を介して床ブラシ83を回動操作可能なアップライト型の電気掃除機81においては、掃除機本体82を床ブラシ83に対して後方へと傾斜させた状態で使用するため、この使用状態において、掃除機本体82および床ブラシ83の重量などが作業者の手首に負荷として加わる。このため、連結部100を介して把持部98と支持部99，99とを上部で連結することにより、床ブラシ83の走行操作などの際の手首の負荷を、手首と、この手首よりも肘側の位置とに分散して軽減できる。
【００７９】
なお、上記第３の実施の形態において、上記第１の実施の形態の調整機構73や上記第２の実施の形態の緩衝部材78を、それぞれ支持部99に適用してもよい。
【００８０】
また、上記各実施の形態において、連結部54，100の位置は、それぞれ上下を反対としてもよく、また、支持部53，99によって手首の負荷を充分に分散支持できれば、連結部54，100を設けない構成としてもよい。
【００８１】
さらに、手元操作部16，93などを除く細部の構成は、上記構成に限定されるものではない。
【図面の簡単な説明】
【００８２】
【図１】本発明の第１の実施の形態の電気掃除機の把持部および支持部近傍を示す斜視図である。
【図２】同上電気掃除機を示す斜視図である。
【図３】本発明の第２の実施の形態の電気掃除機の把持部および支持部近傍を示す斜視図である。
【図４】本発明の第３の実施の形態の電気掃除機を示す斜視図である。
【符号の説明】
【００８３】
11，81    電気掃除機
13，82    掃除機本体
17    ホース体
18    延長管
19，83    吸込口体としての床ブラシ
27    電動送風機
52，98    把持部
53，99    支持部
54，100   連結部
73    調整機構
【図１】
2010057784.tif 000003
【図２】
2010057784.tif 000004
【図３】
2010057784.tif 000005
【図４】
2010057784.tif 000006